(57)【要約】【課題】  電子目次本機能を用いて利用者が選曲を行う際に、所望の楽曲をいち早く検索できるようにする。【解決手段】  任意のカラオケ演奏端末１３において各利用者がシステムログインする毎に、各々ログアウトするまでの間に演奏された楽曲の演奏度数を、現にシステムログインしている各利用者の利用者ＩＤに紐付けして管理するための利用者別演奏度数管理手段（例えば、ホスト装置１１において利用者別演奏度数管理テーブルを含んで構成する）と、電子目次本機能を用いて利用者が選曲を行う際に、当該利用者の利用者ＩＤに基づいて各楽曲の演奏度数を取得し、演奏度数が所定の基準を満足する楽曲のみを選曲対象として表示部に一覧表示するための選曲表示制御手段３２ｂと、を備える。【選択図】  図３
2009180952.tif 000002
【特許請求の範囲】
【請求項１】
任意のカラオケ演奏端末にシステムログインした利用者が所望する楽曲を検索して表示部に一覧表示し、表示された検索結果の中から特定された楽曲を予約登録するための電子目次本機能を有するカラオケシステムであって、
利用者ＩＤ取得手段と、利用者別演奏度数管理手段と、選曲表示制御手段とを備え、
前記利用者ＩＤ取得手段は、任意のカラオケ演奏端末にシステムログインした利用者の利用者ＩＤを取得し、
前記利用者別演奏度数管理手段は、任意のカラオケ演奏端末において各利用者がシステムログインする毎に、各々ログアウトするまでの間に演奏された楽曲の演奏度数を、現にシステムログインしている各利用者の利用者ＩＤに紐付けして管理し、
前記選曲表示制御手段は、電子目次本機能を用いて利用者が選曲を行う際に、当該利用者の利用者ＩＤに基づいて前記利用者別演奏度数管理手段で管理された各楽曲の演奏度数を取得し、演奏度数が所定の基準を満たす楽曲のみを選曲対象として表示部に一覧表示する、
ことを特徴とする電子目次本機能を有するカラオケシステム。
【発明の詳細な説明】
【技術分野】
【０００１】
本発明は、電子目次本機能を有するカラオケシステムに関し、さらに詳しくは、利用者が選曲を行う際に、所定の選定基準に従い選曲対象となる楽曲を絞り込んで一覧表示することが可能なカラオケシステムに関するものである。
【背景技術】
【０００２】
従来、カラオケ利用者が所望の楽曲を選曲する際には、冊子状の目次本を用いて目的の楽曲を探し当て、当該楽曲に付与されている楽曲ＩＤをリモコン装置に入力することにより選曲を行っていたが、近年では、ＧＵＩ機能を備えた電子目次本と称されるリモコン装置を用いて選曲を行うことが一般的となっている。この電子目次本は楽曲の検索機能を備えており、歌手名や楽曲名、リリース年、ジャンル等を入力することにより、液晶表示装置等からなる入出力用表示部に検索結果が一覧表示されるようになっている。そして、利用者は、一覧表示された検索結果の中から所望の楽曲を探し当てて選曲指定を行うことにより、冊子状の目次本と比較して容易に目的の楽曲を探し当てることができるという利便性を有している。
【０００３】
ところで、電子目次本を用いて楽曲の検索を行った場合には、検索キーワードを含む楽曲のすべてが選曲対象として一覧表示される。この際、一覧表示される楽曲数が少なければ、所望の楽曲をいち早く探し当てることができるが、一覧表示される楽曲数が多いと、複数ページにわたって検索結果が表示され、所望の楽曲を探し当てるために時間を要する場合がある。
【０００４】
また、利用者が好むアーティストの新曲が発表された場合に、当該アーティストの新曲をいち早く歌唱したいという要望があり、このような楽曲を利用者ができるだけ早いタイミングで選曲して歌唱できるようにした技術が開示されている（特許文献１参照）。
この特許文献１に記載されている技術は、所定の検索モードにおいてヒットした楽曲の中から、利用者が任意の楽曲を指定した状態で新譜データ抽出操作を行った場合、当該指定楽曲と同じアーティストに属する新譜データがあれば、これを優先的に表示させる機能を有している。
【０００５】
【特許文献１】特開２００５−２８３８０６号公報
【発明の開示】
【発明が解決しようとする課題】
【０００６】
ところで、上記特許文献１に記載された技術は、電子目次本を用いて楽曲の検索を行う際に、利用者が好むアーティストの新曲データを容易かつ効果的に知らしめて、いち早く当該楽曲を歌唱できるという優れた効果を奏することができる。
【０００７】
しかしながら、上記特許文献１に記載された技術は、一般的な検索において選曲対象となる楽曲数が多すぎた場合や、頻繁に新曲を発表するアーティストの場合には、所望の楽曲をいち早く探し当てるという点で、さらなる工夫が必要であった。
また、利用者が常に同じ楽曲ばかり歌唱していたのでは、レパートリーが増えず歌唱がマンネリ化してしまう。そこで、自らが聞き慣れていない楽曲にチャレンジして、レパートリーを増やしたいという要望がある。一方、自らが聞き慣れており、得意とする楽曲を歌唱したいという要望もある。
【０００８】
本発明は、上述した事情に鑑み提案されたもので、利用者が選曲を行う際に、所望の楽曲をいち早く検索することが可能な電子目次本機能を有するカラオケシステムを提供することを目的とする。
【課題を解決するための手段】
【０００９】
本発明の電子目次本機能を有するカラオケシステムは、上述した目的を達成するために提案されたもので、以下の特徴点を有している。
すなわち、本発明の電子目次本機能を有するカラオケシステムは、任意のカラオケ演奏端末にシステムログインした利用者が所望する楽曲を検索して表示部に一覧表示し、表示された検索結果の中から特定された楽曲を予約登録するための電子目次本機能を有するカラオケシステムであって、利用者ＩＤ取得手段と、利用者別演奏度数管理手段と、選曲表示制御手段とを備えていることを特徴とする。
【００１０】
ここで、利用者ＩＤ取得手段は、任意のカラオケ演奏端末にシステムログインした利用者の利用者ＩＤを取得するための手段である。また、利用者別演奏度数管理手段は、任意のカラオケ演奏端末において各利用者がシステムログインする毎に、各々ログアウトするまでの間に演奏された楽曲の演奏度数を、現にシステムログインしている各利用者の利用者ＩＤに紐付けして管理するための手段である。また、選曲表示制御手段は、電子目次本機能を用いて利用者が選曲を行う際に、当該利用者の利用者ＩＤに基づいて利用者別演奏度数管理手段で管理された各楽曲の演奏度数を取得し、演奏度数が所定の基準を満たす楽曲のみを選曲対象として表示部に一覧表示するための手段である。
【００１１】
ここで、利用者別演奏度数管理手段における演奏度数管理では、自らの利用者ＩＤに紐付けして選曲した楽曲が演奏された場合に、当該利用者が歌唱したとみなし、自らの利用者ＩＤに紐付けして選曲されていない楽曲が演奏された場合に、当該利用者が聴取したとみなす。
また、「演奏度数が所定の基準を満たす」とは、演奏度数が基準値未満の場合と、演奏度数が基準値以上の場合の双方を含む概念である。
【発明の効果】
【００１２】
本発明の電子目次本機能を有するカラオケシステムでは、電子目次本機能を用いて利用者が選曲を行う際に、当該利用者の利用者ＩＤに基づいて取得した演奏度数が所定の基準を満足する楽曲のみを選曲対象として表示することができる。
【００１３】
したがって、演奏度数が所定の基準値未満である楽曲のみを選曲対象として表示する場合には、電子目次本機能を用いて利用者が選曲を行う際に、当該利用者が頻繁に歌唱又は聴取していない楽曲のみが一覧表示されるので、選曲対象となる楽曲数が少なくなり、容易に選曲を行うことができる。
このため、利用者にとって、自らが歌い込んでいない楽曲や聞き慣れていない楽曲をいち早く探し当てて、当該楽曲にチャレンジすることにより、レパートリーを増やすことができ、カラオケシステムを用いた歌唱の楽しさを増大させることができる。
【００１４】
一方、演奏度数が所定の基準値以上である楽曲のみを選曲対象として表示する場合には、電子目次本機能を用いて利用者が選曲を行う際に、当該利用者が頻繁に歌唱又は聴取している楽曲のみが一覧表示されるので、選曲対象となる楽曲数が少なくなり、容易に選曲を行うことができる。
このため、利用者にとって、自らが歌い込んでいる楽曲や聞き慣れている楽曲をいち早く探し当てて、得意とするお馴染みの楽曲を歌唱することができ、カラオケシステムを用いた歌唱の楽しさを増大させることができる。
【発明を実施するための最良の形態】
【００１５】
以下、図面を参照して本発明の電子目次本機能を備えたカラオケシステムの実施形態を説明する。
本発明の実施形態に係るカラオケシステムは、利用者が所望する楽曲を検索して表示部に一覧表示し、表示された検索結果の中から特定された楽曲を予約登録するための電子目次本機能を備えている。
【００１６】
＜カラオケシステムの概要＞
図１は、本発明の実施形態に係る電子目次本機能を備えたカラオケシステムの概略構成を示すもので、図１（ａ）は通信ネットワークを用いてカラオケシステムを構成した場合の模式図、図１（ｂ）はホスト装置の概略構成を示すブロック図である。
【００１７】
本発明の実施形態に係る電子目次本機能を備えたカラオケシステムは、図１（ａ）に示すように、通信ネットワーク１２を介して相互に接続されたホスト装置１１と複数のカラオケ演奏端末１３とを備えている。通信ネットワーク１２は、公衆電話回線、専用電話回線、光通信回線、ＬＡＮ等を用いることができるが、ネットワークに対する第三者の侵入やデータの傍聴及び改竄が困難であると共に、帯域を独占せず安価な通信網であるという点で、インターネットにより構成されるＶＰＮを利用することが好ましい。
【００１８】
＜ホスト装置／送受信部＞
ホスト装置１１は、図１（ｂ）に示すように、送受信部２１、制御手段２２、データ処理手段２３、顧客データベース２４を備えている。
【００１９】
送受信部２１は、各カラオケ演奏端末１３との間でデータの送受信を行うための手段であり、通信ネットワーク１２における通信方式の整合性を保つための通信回路やソフトウェアにより構成される。制御手段２２は、ホスト装置１１を統括的に制御するための手段であり、ＣＰＵ及びその周辺機器を含んで構成され、ＣＰＵ等がＲＯＭ等に格納されたアプリケーションプログラムに従って動作することにより制御機能を発揮するようになっている。
【００２０】
＜データ処理手段／顧客データベース＞
データ処理手段２３は、顧客データベース２４にアクセスして、データの抽出、変更、追加を処理するためのプログラムからなる。顧客データベース２４は、利用者毎に利用者情報が登録されたデータベースである。この顧客データベース２４は、利用者毎に、利用者ＩＤ、氏名、セカンドネーム（例えば愛称）、住所、電話番号、生年月日、性別、職業等が関連付けて構成されている。さらに、この顧客データベース２４には、利用者別演奏度数管理テーブル２５が含まれており、その機能として、任意のカラオケ演奏端末１３において各利用者がシステムログインする毎に、各々ログアウトするまでの間に演奏された楽曲の演奏度数が、現にシステムログインしている各利用者の利用者ＩＤに紐付けして利用者毎に格納される。本実施形態では、制御手段２２、データ処理手段２３、利用者別演奏度数管理テーブル２５が利用者別演奏度数管理手段として機能する。
【００２１】
図２に、利用者別演奏度数管理テーブル２５の構成例を示す。利用者別演奏度数管理テーブル２５は、図２に示すように、利用者毎に、利用者ＩＤ、ニックネーム、顔写真等のイメージデータ、各利用者が歌唱し、あるいは聴取した楽曲の演奏度数が紐付けされて構成される。
なお、顧客データベース２４に利用者別演奏度数管理テーブル２５を含ませるのではなく、利用者別演奏度数管理テーブル２５を別個のデータベースにおいて管理してもよい。
【００２２】
＜カラオケ演奏端末＞
図３は、本発明の実施形態に係るカラオケ演奏端末の構成を示すブロック図である。
カラオケ演奏端末１３は、図３に示すように、カラオケ本体３１、遠隔入出力端末３２、ミキシングアンプ３５、スピーカ３６、マイクロホン３７、表示手段３８を備えている。カラオケ本体３１と表示手段３８とは、有線方式又は無線方式により接続されている。また、ホスト装置１１からカラオケ演奏端末１３に対して、楽曲データ、更新楽曲データ、顧客データ、利用者別演奏度数データ等が送信される。
【００２３】
＜遠隔入出力端末＞
遠隔入出力端末３２は、ユーザインタフェース機能を備えており、カラオケ本体３１のローカル送受信手段４７に対して有線方式又は無線方式によりデータの送受信を行うようになっており、データの送受信を行うための回路基板及びプログラムと、楽曲検索手段３２ａとして機能させるためのプログラムと、選曲表示制御手段３２ｂとして機能させるためのプログラムと、楽曲索引データベース３２ｃと、ログイン利用者別演奏度数リスト３２ｄと、一時記憶領域であるフラッシュメモリ（図示せず）とを備えている。ここで利用される無線方式としては、例えば近接無線通信技術であるｉｒＤＡやbluetooth（登録商標）等を挙げることができる。また、ユーザインタフェース機能として、例えば液晶ディスプレイとタッチセンサとを積層した入出力用表示部（図示せず）を備えており、入出力用表示部に一覧表示されるアイコンや文字列にタッチすることにより、楽曲の選択やデータの入力を行うようになっている。
【００２４】
＜楽曲索引データベース＞
楽曲索引データベース３２ｃは、カラオケ演奏端末１３で演奏に供される楽曲についての属性情報を記述したデータベースであり、楽曲番号・曲名・歌手名・歌い出し部分の歌詞・流行時期・音楽ジャンル区分・デュエット曲か否かなど、種々の属性情報がこれに含まれている。なお、カラオケ演奏端末１３がホスト装置１１と通信を行う際に、適宜なタイミングで楽曲索引データベース３２ｃの内容が最新のものに更新される。
【００２５】
＜ログイン利用者別演奏度数リスト＞
ログイン利用者別演奏度数リスト３２ｄは、ホスト装置１１の利用者別演奏度数管理テーブル２５に格納されたデータの中から、現に当該カラオケ演奏端末１３にログインしている各利用者の利用者ＩＤに基づいて、当該利用者の演奏履歴データ（楽曲ＩＤと演奏度数を関連付けたデータ）を取得することにより作成されるリストである。各利用者の演奏履歴データは、各利用者が当該カラオケ演奏端末１３にログインした際に、他の利用者データと共に取得される。なお、各利用者の演奏履歴データを取得するタイミングは、後に詳述するチャレンジ選曲やお馴染み選曲が開始した時点であってもよい。
【００２６】
＜電子目次本＞
遠隔入出力端末３２では、楽曲検索手段３２ａにより電子目次本機能が実現される。すなわち、楽曲検索手段３２ａにより実現される電子目次本機能を用いて、利用者が歌手名や楽曲名、リリース年、ジャンル等を入力すると、楽曲索引データベース３２ｃを参照して、入出力用表示部に検索結果が一覧表示されるようになっている。そして、利用者は、一覧表示された検索結果の中から所望の楽曲を探し当てて選曲指定を行うことができる。
【００２７】
＜選曲表示制御手段＞
選曲表示制御手段３２ｂは、電子目次本機能を用いて利用者が選曲を行う際に、当該利用者の利用者ＩＤに基づいて、ログイン利用者別演奏度数リスト３２ｄから各楽曲の演奏度数を取得し、演奏度数が所定の基準を満足しいる楽曲のみを選曲対象として表示させるためのプログラムからなる。この選曲表示制御手段３２ｂは、利用者が聞き慣れていない楽曲をいち早く探し当てて、当該楽曲にチャレンジすることによりレパートリーを増やそうとする、いわゆるチャレンジ選曲を行う場合や、自らが聞き慣れており得意とする楽曲の歌唱を所望する、いわゆるお馴染み選曲を行う場合に機能する手段である。
【００２８】
選曲表示制御手段３２ｂによる選曲表示制御は、図７に示すように、選曲画面で入出力用表示部に表示される「チャレンジ」ボタンあるいは「お馴染み」ボタンを操作した場合に行われる。なお、図７は、選曲画面の一例を示す説明図である。
【００２９】
＜カラオケ本体＞
カラオケ本体３１は、バス４１、ネットワーク送受信手段４２、中央制御手段４３、ＲＯＭ４４、ＲＡＭ４５、ＨＤＤ４６、ローカル送受信手段４７、予約管理手段４８、音楽曲出力手段４９、再生制御手段５０、利用者ＩＤ取得手段３３を備えている。なお、ＨＤＤ４６には、楽曲データベース４６ａ、映像データベース４６ｂが格納されている。
【００３０】
＜中央制御手段＞
中央制御手段４３は、カラオケ演奏端末１３を総合的に制御するための手段であり、例えばＣＰＵ及びその周辺機器により構成されており、ＣＰＵ等がＲＯＭ４４等に記憶されたアプリケーションプログラムに従って動作することにより、制御機能を発揮することができるようになっている。
【００３１】
＜ＲＯＭ／ＲＡＭ＞
ＲＯＭ４４は、カラオケ演奏端末１３を構成する各機器を制御するためのアプリケーションプログラムデータや数値データを記憶するための機器で、例えば半導体メモリ等で構成される。また、ＲＡＭ４５は、アプリケーションプログラムや種々のデータを一時的に読み込む一時記憶領域として機能するための機器で、例えば半導体メモリ等で構成される。なお、物理的な半導体メモリによりＲＡＭ４５を構成するのではなく、ハードディスク記憶装置等を用いて仮想的なＲＡＭ４５を構成してもよい。本実施形態では、ＲＡＭ４５に、予約待ち行列４５ａが格納されている。
【００３２】
＜ＨＤＤ／楽曲データベース／映像データベース＞
楽曲データベース４６ａ及び映像データベース４６ｂは、大容量記憶装置であるＨＤＤ４６に格納されている。大容量記憶装置としては、ＨＤＤ４６の他に、データを書き替え可能なＤＶＤ等を用いることができる。
楽曲データベース４６ａは、演奏データ（ＭＩＤＩ（登録商標）データ）及び歌詞テロップデータが同期されて構成される楽曲データについて、楽曲ＩＤと対応付けてそれぞれ格納したデータベースである。演奏データは各楽曲の演奏データをデジタル化したものであり、歌詞テロップデータは演奏データに同期された楽曲の歌詞文字データである。
映像データベース４６ｂは、演奏される楽曲に対応した背景映像を、当該楽曲の楽曲ＩＤに対応させた映像ファイルとして所定数格納したデータベースである。
【００３３】
＜音楽曲出力手段＞
音楽曲出力手段４９は、楽曲ＩＤに基づいて楽曲データベース４６ａから抽出された演奏データをデジタル再生すると共にアナログ変換してミキシングアンプ３５に出力するための電子回路である。ミキシングアンプ３５は、マイクロホン３７から入力された歌唱者の歌唱音声と、音楽曲出力手段４９から送出される演奏データとをミキシングすると共に、アンプ機能により増幅してスピーカ３６より出力させるための装置である。なお、マイクロホン３７の数は１本に限られず、２本以上であってもよい。
【００３４】
＜再生制御手段＞
再生制御手段５０は、カラオケ演奏中に、楽曲データベース４６ａから抽出された楽曲データのうちの歌詞テロップデータ（歌詞文字データ）を当該楽曲の演奏データに同期させて表示手段３８に出力するための電子回路である。さらに、再生制御手段５０は、遠隔入出力端末３２を介した利用者からの操作指示による予約楽曲リストの表示等を表示手段３８に表示させる機能も有している。
【００３５】
＜表示手段＞
表示手段３８は、カラオケ演奏時の映像、歌詞テロップ等を表示するための装置で、例えば、ＣＲＴディスプレイ、液晶ディスプレイ、プラズマディスプレイ等により構成される。
【００３６】
＜予約管理手段＞
予約管理手段４８は、利用者により遠隔入出力端末３２における楽曲検索手段３２ａの機能を用いて選曲され、ローカル送受信手段４７を介して送信された当該選曲者の利用者ＩＤ、及び選曲された楽曲ＩＤを対応付けて予約待ち行列４５ａとしてＲＡＭ４５に格納し、管理するためのプログラムである。なお、楽曲選択の表示や予約待ち行列４５ａの表示は、遠隔入出力端末３２の入出力用表示部及び表示手段３８のいずれか一方、あるいは双方で行うことができる。
【００３７】
＜送受信手段＞
ローカル送受信手段４７は、遠隔入出力端末３２との間でデータの送受信を行うための電子回路及びプログラムからなる。ネットワーク送受信手段４２は、通信ネットワーク１２を介してホスト装置１１との間でデータの送受信を行う際に、通信ネットワーク１２における通信方式の整合性を保つための電子回路及びプログラムからなる。
【００３８】
＜利用者ＩＤ取得手段＞
利用者ＩＤ取得手段３３は、利用者がカラオケ演奏端末１３にシステムログインする際に、利用者が所持するＩＤ媒体３４から利用者ＩＤを取得するための電子回路及びプログラムからなる。利用者ＩＤ取得手段３３で取得した利用者ＩＤは、ＲＡＭ４５に一時的に記憶される。ＩＤ媒体３４は、例えば、非接触型のＩＣカード、携帯電話、携帯情報端末等からなり、利用者ＩＤを記憶して、利用者ＩＤ取得手段３３との間でデータの送受信を行うことができるようになっている。
【００３９】
＜選曲表示制御／チャレンジ選曲＞
次に、本実施形態のカラオケシステムにおける選曲表示制御について説明する。まず初めに、チャレンジ選曲を行う場合の選曲表示制御について説明する。図４は、チャレンジ選曲を行う場合の選曲表示制御の手順を示すフローチャートである。
チャレンジ選曲とは、演奏度数が所定の基準値未満である楽曲のみを選曲可能に表示するもので、選曲を行う利用者に馴染みの薄い楽曲にチャレンジ可能な選曲態様である。
【００４０】
本実施形態のカラオケシステムでは、図４に示すように、選曲表示制御に先立って、利用者ＩＤ取得手段３３により、当該カラオケ演奏端末１３にシステムログインした利用者の利用者ＩＤを取得する（Ｓ１）。そして、ホスト装置１１にアクセスし、取得した利用者ＩＤに基づいて、楽曲別の演奏度数を含んだ利用者情報を取得する（Ｓ２）。取得した各利用者の演奏履歴（楽曲ＩＤと演奏度数を関連付けたデータ）は、ログイン利用者別演奏度数リスト３２ｄとして遠隔入出力端末３２に格納される。
【００４１】
選曲を行う利用者が入出力用表示部に表示されるチャレンジボタン（図７参照）を操作して、利用者ＩＤに関連付けてチャレンジ選曲が開始されると（Ｓ３）、入力された条件に基づいて楽曲を検索し（Ｓ４）、検索された楽曲毎に、当該利用者の演奏度数と所定の基準値とを比較する（Ｓ５）。そして、検索された楽曲の演奏度数が所定の基準値未満か否かを判断する（Ｓ６）。ここで、検索された楽曲の演奏度数が所定の基準値未満ならば、当該楽曲を表示対象とし（Ｓ７）、検索された楽曲の演奏度数が所定の基準値以上ならば、当該楽曲を表示対象としない（Ｓ８）。なお、本実施形態では、ログイン利用者別演奏度数リスト３２ｄに存在しない楽曲について、その演奏度数を「０」とみなす。
【００４２】
そして、検索されたすべての楽曲について演奏度数の判断が行われたか否かを判断し（Ｓ９）、演奏度数の判断が終了していない楽曲がある場合には、判断処理（Ｓ５〜Ｓ８）を繰り返す。一方、検索されたすべての楽曲について演奏度数の判断が行われると、表示対象とされた楽曲を入出力用表示部に一覧表示する（Ｓ１０）。なお、チャレンジ選曲でない場合には、選曲表示制御は行わない。
【００４３】
図５及び図６を参照して、チャレンジ選曲表示制御の具体例を説明する。図５は楽曲索引データベースの説明図、図６はチャレンジ選曲を行う場合の演奏度数の判断手順を示す説明図である。
利用者が遠隔入出力端末３２の電子目次本機能を用いて選曲動作を行うと、楽曲索引データベース３２ｃが参照され、検索結果として該当する楽曲が抽出される。例えば、歌手名をキーワードとして検索を行う場合には、図５に示す楽曲索引データベース３２ｃを参照し、該当する歌手名コードに対応する楽曲ＩＤを抽出する。
【００４４】
そして、図６に示すように、選曲表示制御手段３２ｂ（図３）の機能により、ログイン利用者別演奏度数リスト３２ｄ（図３）を参照して、抽出された楽曲ＩＤの中から、選曲を行っている利用者ＩＤに基づく楽曲の演奏度数が基準値未満の楽曲を選択して、表示対象とする。ここで、基準を「５」未満に設定したものとして説明する。
【００４５】
図６に示す例では、歌手名コード「Ａ０００１」の歌手について楽曲索引データベース３２ｃ（図５）を参照すると、楽曲ＩＤ「＊＊＊７」、「＊＊＊８」、「＊＊１０」、「＊＊２６」、「＊＊４２」、「＊１２５」、「＊２１３」、「＊３０７」等が検索結果として抽出される。また、利用者ＩＤ「＊＊＊＊＊＊＊Ａ」のログイン利用者別演奏度数リスト３２ｄ（図３）を参照すると、楽曲ＩＤ「＊＊＊２」、「＊＊＊４」、「＊＊＊６」、「＊＊＊７」、「＊＊＊８」、「＊＊＊９」、「＊＊１０」がログイン中演奏履歴として抽出される。
【００４６】
ここで、利用者ＩＤ「＊＊＊＊＊＊＊Ａ」の利用者は、歌手名コード「Ａ０００１」の楽曲のうち、楽曲ＩＤ「＊＊＊７」、「＊＊＊８」、「＊＊１０」の楽曲について歌唱し、あるいは聴取した経験がある。そして、楽曲ＩＤ「＊＊＊７」、「＊＊＊８」、「＊＊１０」の楽曲のうち演奏度数が「５」未満の楽曲は、「＊＊１０」の楽曲であるから、楽曲ＩＤ「＊＊１０」の楽曲が表示対象となり、楽曲ＩＤ「＊＊＊７」、「＊＊＊８」の楽曲は表示対象から除外されることになる。この場合、楽曲ＩＤ「＊＊２６」等の楽曲については、利用者ＩＤ「＊＊＊＊＊＊＊Ａ」の利用者のログイン中演奏履歴に存在しないため演奏度数が「０」とみなされて、表示対象となる。
【００４７】
なお、基準値は特に限定されるものではなく、適宜変更して設定することができる。この場合、利用者の指定に基づいて基準値を変更できるようにしてもよい。具体的には、図７に示すように、遠隔入出力端末３２の入出力用表示部に基準値の設定エリアを表示し、利用者が指定した基準値に基づいて選曲表示制御を行わせることができる。
【００４８】
＜選曲表示制御／お馴染み選曲＞
次に、お馴染み選曲を行う場合の選曲表示制御について説明する。図８は、お馴染み選曲を行う場合の選曲表示制御の手順を示すフローチャートである。
お馴染み選曲とは、演奏度数が所定の基準値以上である楽曲のみを選曲可能に表示するもので、選曲を行う利用者に馴染みがある楽曲を選曲可能な選曲態様である。
【００４９】
お馴染み選曲においても上述したチャレンジ選曲と同様に、選曲表示制御に先立って、利用者ＩＤ取得手段３３により、当該カラオケ演奏端末１３にシステムログインした利用者の利用者ＩＤを取得し（Ｓ１１）、ホスト装置１１にアクセスし、取得した利用者ＩＤに基づいて、楽曲別の演奏度数を含んだ利用者情報を取得する（Ｓ１２）。取得した各利用者の演奏履歴（楽曲ＩＤと演奏度数を関連付けたデータ）は、ログイン利用者別演奏度数リスト３２ｄとして遠隔入出力端末３２に格納される。
【００５０】
選曲を行う利用者が入出力用表示部に一覧表示されるお馴染みボタン（図７参照）を操作して、利用者ＩＤに関連付けてお馴染み選曲が開始されると（Ｓ１３）、入力された条件に基づいて楽曲を検索し（Ｓ１４）、検索された楽曲毎に、当該利用者の演奏度数と所定の基準値とを比較する（Ｓ１５）。そして、検索された楽曲の演奏度数が所定の基準値以上か否かを判断する（Ｓ１６）。ここで、検索された楽曲の演奏度数が所定の基準値以上ならば、当該楽曲を表示対象とし（Ｓ１７）、検索された楽曲の演奏度数が所定の基準値未満ならば、当該楽曲を表示対象としない（Ｓ１８）。なお、本実施形態では、ログイン利用者別演奏度数リスト３２ｄに存在しない楽曲について、その演奏度数を「０」とみなす。
【００５１】
そして、検索されたすべての楽曲について演奏度数の判断が行われたか否かを判断し（Ｓ１９）、演奏度数の判断が終了していない楽曲がある場合には、判断処理（Ｓ１５〜Ｓ１８）を繰り返す。一方、検索されたすべての楽曲について演奏度数の判断が行われると、表示対象とされた楽曲を入出力用表示部に一覧表示する（Ｓ２０）。なお、お馴染み選曲でない場合には、選曲表示制御は行わない。
【００５２】
図５及び図９を参照して、お馴染み選曲表示制御の具体例を説明する。図９は、お馴染み選曲を行う場合の演奏度数の判断手順を示す説明図である。
利用者が遠隔入出力端末３２の電子目次本機能を用いて選曲動作を行うと、楽曲索引データベース３２ｃが参照され、検索結果として該当する楽曲が抽出される。例えば、歌手名をキーワードとして検索を行う場合には、図５に示す楽曲索引データベース３２ｃを参照し、該当する歌手名コードに対応する楽曲ＩＤを抽出する。
【００５３】
そして、図９に示すように、選曲表示制御手段３２ｂ(図３）の機能により、ログイン利用者別演奏度数リスト３２ｄ（図３）を参照して、抽出された楽曲ＩＤの中から、選曲を行っている利用者ＩＤに基づく楽曲の演奏頻度が基準値以上の楽曲を選択して、表示対象とする。ここで、基準を「５」以上に設定したものとして説明する。
【００５４】
図９に示す例では、歌手名コード「Ａ０００１」の歌手について楽曲索引データベース３２ｃ（図５）を参照すると、楽曲ＩＤ「＊＊＊７」、「＊＊＊８」、「＊＊１０」、「＊＊２６」、「＊＊４２」、「＊１２５」、「＊２１３」、「＊３０７」等が検索結果として抽出される。また、利用者ＩＤ「＊＊＊＊＊＊＊Ａ」のログイン利用者別演奏度数リスト３２ｄ（図３）を参照すると、楽曲ＩＤ「＊＊＊２」、「＊＊＊４」、「＊＊＊６」、「＊＊＊７」、「＊＊＊８」、「＊＊＊９」、「＊＊１０」がログイン中演奏履歴として抽出される。
【００５５】
ここで、利用者ＩＤ「＊＊＊＊＊＊＊Ａ」の利用者は、歌手名コード「Ａ０００１」の楽曲のうち、楽曲ＩＤ「＊＊＊７」、「＊＊＊８」、「＊＊１０」の楽曲について歌唱し、あるいは聴取した経験がある。そして、楽曲ＩＤ「＊＊＊７」、「＊＊＊８」、「＊＊１０」の楽曲のうち演奏度数が「５」以上の楽曲は、「＊＊＊７」、「＊＊＊８」の楽曲であるから、楽曲ＩＤ「＊＊＊７」、「＊＊＊８」の楽曲が表示対象となり、楽曲ＩＤ「＊＊１０」の楽曲は表示対象から除外されることになる。
【００５６】
この場合、楽曲ＩＤ「＊＊２６」等の楽曲については、利用者ＩＤ「＊＊＊＊＊＊＊Ａ」の利用者のログイン中演奏履歴に存在しないため演奏度数が「０」とみなされて、表示対象から除外される。
なお、基準値を変更できるようにしてもよいことは、上述したチャレンジ選曲の場合と同様である。
【００５７】
＜他の実施形態＞
本発明の電子目次本機能を備えたカラオケシステム及びその周辺装置を構成する機器や手段は上述したものに限定されず、カラオケシステムの利用目的等に応じて、必要な機器や手段のみの構成としたり、適宜他の機器や手段を付加したりすることができる。また、各手段をそれぞれ別個のものとして構成するのではなく、複数の機能を統合した手段として構成してもよい。
【００５８】
さらに、顧客データベース２４及び利用者別演奏度数管理テーブル２５をホスト装置１１の構成要素とするのではなく、カラオケ演奏端末１３の構成要素として、ローカルで顧客情報の管理及び楽曲別演奏度数の管理を行ってもよい。
【図面の簡単な説明】
【００５９】
【図１】本発明の実施形態に係る電子目次本機能を備えたカラオケシステムの概略構成を示すブロック図。
【図２】利用者別演奏度数管理テーブルの構成例を示す説明図。
【図３】カラオケ演奏端末の構成を示すブロック図。
【図４】チャレンジ選曲を行う場合の選曲表示制御の手順を示すフローチャート。
【図５】楽曲索引データベースの説明図。
【図６】チャレンジ選曲を行う場合の演奏度数の判断手順を示す説明図。
【図７】選曲画面の一例を示す説明図。
【図８】お馴染み選曲を行う場合の選曲表示制御の手順を示すフローチャート。
【図９】お馴染み選曲を行う場合の演奏度数の判断手順を示す説明図。
【符号の説明】
【００６０】
１１  ホスト装置
１２  通信ネットワーク
１３  カラオケ演奏端末
２１  送受信部
２２  制御手段
２３  データ処理手段
２４  顧客データベース
２５  利用者別演奏度数管理テーブル
３１  カラオケ本体
３２  遠隔入出力端末
３２ａ  楽曲検索手段
３２ｂ  選曲表示制御手段
３２ｃ  楽曲索引データベース
３２ｄ  ログイン利用者別演奏度数リスト
３３  利用者ＩＤ取得手段
３４  ＩＤ媒体
３５  ミキシングアンプ
３６  スピーカ
３７  マイクロホン
３８  表示手段
４１  バス
４２  ネットワーク送受信手段
４３  中央制御手段
４４  ＲＯＭ
４５  ＲＡＭ
４５ａ  予約待ち行列
４６  ＨＤＤ
４６ａ  楽曲データベース
４６ｂ  映像データベース
４７  ローカル送受信手段
４８  予約管理手段
４９  音楽曲出力手段
５０  再生制御手段
【図１】
2009180952.tif 000003
【図２】
2009180952.tif 000004
【図３】
2009180952.tif 000005
【図４】
2009180952.tif 000006
【図５】
2009180952.tif 000007
【図６】
2009180952.tif 000008
【図７】
2009180952.tif 000009
【図８】
2009180952.tif 000010
【図９】
2009180952.tif 000011